(57)【要約】【課題】対物レンズと光記録媒体との衝突を防止する衝突防止部材を備え、小型化・薄型化に対応し易い光ピックアップを提供する。【解決手段】光ピックアップには、光源から出射される光を光記録媒体の情報記録面に集光する対物レンズ（図示せず）と、前記対物レンズを保持するレンズホルダ３１と、前記対物レンズに対して突出するようにレンズホルダ３１に固定配置されて、光記録媒体と前記対物レンズとの衝突を防止する衝突防止部材４０と、が備えられる。レンズホルダ３１には、衝突防止部材４０の前記対物レンズに対する突出方向と略平行な方向に延びて衝突防止部材４０が挿入保持される貫通孔３４ａ、３４ｂが設けられ、且つ、衝突防止部材４０の前記突出方向の位置決めを行う当て面が設けられていない。【選択図】図４
2012064278.tif 000002
【特許請求の範囲】
【請求項１】
光源と、
前記光源から出射される光を光記録媒体の情報記録面に集光する対物レンズと、
前記対物レンズを保持するレンズホルダと、
前記対物レンズに対して突出するように前記レンズホルダに固定配置されて、前記光記録媒体と前記対物レンズとの衝突を防止する衝突防止部材と、
を備える光ピックアップにおいて、
前記レンズホルダには、前記衝突防止部材の前記対物レンズに対する突出方向と略平行な方向に延びて前記衝突防止部材が挿入保持される貫通孔が設けられ、且つ、前記衝突防止部材の前記突出方向の位置決めを行う当て面が設けられていないことを特徴とする光ピックアップ。
【請求項２】
前記衝突防止部材は、前記突出方向の両端部のうち、前記光記録媒体と対向しない側の端部側が前記レンズホルダに接着固定されていることを特徴とする請求項１に記載の光ピックアップ。
【請求項３】
前記衝突防止部材はシート部材であることを特徴とする請求項２に記載の光ピックアップ。
【請求項４】
前記衝突防止部材は、前記シート部材の厚み方向に平行な側面の１つが前記光記録媒体と対向するように配置されていることを特徴とする請求項３に記載の光ピックアップ。
【請求項５】
前記衝突防止部材は、前記衝突防止部材が配置される位置を基準として、前記厚み方向が前記光記録媒体の回転方向と略平行となるように前記レンズホルダに配置されていることを特徴とする請求項４に記載の光ピックアップ。
【発明の詳細な説明】
【技術分野】
【０００１】
本発明は、光記録媒体に記録される情報の読み取りや光記録媒体への情報の書き込みを行う際に用いられる光ピックアップに関する。
【背景技術】
【０００２】
従来、ブルーレイディスク（ＢＤ）、デジタル多用途ディスク（ＤＶＤ）、コンパクトディスク（ＣＤ）等の光ディスク（光記録媒体の一例）に記録される情報を読み取ったり、それらに情報を書き込んだりする際に光ピックアップが利用されている。光ピックアップには、光源と、光源から出射される光を光ディスクの情報記録面に集光する対物レンズと、情報記録面で反射された戻り光を受光する受光素子と、が備えられる。
【０００３】
光ピックアップにおいて情報の読み取り等を行う場合には、対物レンズによって集光される光スポットの位置が常に光ディスクの情報記録面上にあるように制御（フォーカシング制御）する必要があるとともに、前記光スポットが常に光ディスクのトラックに追随するように制御（トラッキング制御）する必要がある。このため、光ピックアップにおいては、対物レンズはレンズホルダに搭載され、このレンズホルダを動かすアクチュエータによってフォーカス方向やトラック方向に移動可能とされるのが通常である。なお、フォーカス方向は光ディスクに接離する方向であり、トラック方向は光ディスクの半径方向に平行な方向である。
【０００４】
ところで、光ピックアップにおいては、従来、対物レンズと光ディスクとの衝突を防止するために、レンズホルダに衝突防止部材を設けることがある（例えば、特許文献１〜４参照）。この衝突防止部材によって、対物レンズと光ディスクとの衝突によって光ディスクに記録される情報が使えなくなったり、対物レンズが損傷して光ピックアップが使用できなくなったりするという事態を防止できる。なお、レンズホルダに設けられる衝突防止部材は、例えば特許文献１〜３に示されるように成型品とされることもあるし、例えば特許文献４に示されるようにシート品（シート部材）とされることもある。
【０００５】
ここで、特許文献４に示されるようなシート部材からなる衝突防止部材を備える従来の光ピックアップの構成について、図１０及び図１１を参照しながら説明する。図１０は、従来の光ピックアップが備える対物レンズアクチュエータの構成を示す概略斜視図である。図１１は、図１０のＸ−Ｘ位置における断面の一部を示す図である。図１１では、理解を容易とするために光ディスクＤも併せて示している。
【０００６】
従来の光ピックアップが備える対物レンズアクチュエータ１００は、ベース１０１と、対物レンズ１１０を保持するレンズホルダ１０２と、を備える。ベース１０１上には、レンズホルダ１０２を挟んで対称配置となるように一対の永久磁石１０３が立設されている。また、ベース１０１には、図示しない光源（光ピックアップの光源）から出射された光が対物レンズ１１０へと至るように貫通孔（図示せず）が形成されている。
【０００７】
レンズホルダ１０２には、対物レンズ１１０を保持するためのレンズ保持部１０２ａが形成されている。また、レンズホルダ１０２の対向する２つの側壁（永久磁石１０３とは対向しない外側壁）には、片側に３本ずつ、両側で計６本となるワイヤ１０４の各一端が固定されている。各ワイヤ１０４の他端は、ベース１０１上に立設される回路基板１０５に固定され、これにより、レンズホルダ１０２はワイヤ１０４によって揺動可能に片持ち支持された状態となっている。
【０００８】
なお、その一端がレンズホルダ１０２に固定されるワイヤ１０４は、一部がベース１０１上に固定配置されるゲルホルダ１０６のゲル材充填部１０６ａに挿通された状態で、他端を回路基板１０５に固定されている。ゲル材充填部１０６ａに充填されるゲル材は、レンズホルダ１０２の駆動に応じてワイヤ１０４に生じた振動を減衰する役目を果たす。
【０００９】
更に、レンズホルダ１０２には、レンズホルダ１０２の内部側壁に沿って対物レンズ１１０の光軸を取り巻くように配置される図示しないフォーカスコイルと、レンズホルダ１０２の外部側壁（永久磁石１０３と対向する側壁）の対称位置に、それぞれ２つずつ配置される４つのトラックコイル１１１と、が取り付けられている。これらのコイルには、ワイヤ１０４を介して電流が供給されるようになっている。
【００１０】
フォーカスコイルに電流が流れると、永久磁石１０３によって作られる磁界との電磁気的な作用によって、電流が流れる向き及び電流の大きさに応じて、対物レンズ１１０はレンズホルダ１０２と共にフォーカス方向Ｆに移動する。同様に、トラックコイル１１１に電流が流れると、その向き及び大きさに応じて、対物レンズ１１０はレンズホルダ１０２と共にトラック方向Ｔに移動する。
【００１１】
レンズホルダ１０２のレンズ保持部１０２ａ外の上面１０２ｂには、シート部材からなる衝突防止部材１１２が配置される。平面形状略矩形に設けられるシート状の衝突防止部材１１２は、その厚み方向に平行な側面の１つ（側面１１２ａ；図１１参照）が光ディスクＤに対向するように固定部１１３に挿入され、側面（上面）１１２ａに対向する側面（下面）１１２ｂがレンズホルダ１０２の上面１０２ｂに当接した状態で保持される（図１１参照）。衝突防止部材１１２の上面１１２ａ（先端）は、対物レンズ１１０の先端よりも高い位置となっている（図１１参照）。このため、対物レンズ１１０よりも衝突防止部材１１２が先に光ディスクＤに衝突し、対物レンズ１１０と光ディスクＤとが直接衝突しないようになっている。
【００１２】
この従来例のように衝突防止部材１１２をシート部材で構成すると、成型品（例えば球面形状に加工し易いこと等が望まれ、そのような材料で形成される）で衝突防止部材を構成する場合に比べて、磨耗し難い材料（耐摩耗性の材料）を選択しやすい。このため、衝突防止部材１１２と光ディスクＤとが接触した場合に、衝突防止部材１１２の磨耗によって光ディスクＤが汚れる可能性を低く抑えることが可能となる。また、シート部材からなる衝突防止部材１１２を、厚み方向に平行な側面１１２ａが光ディスクＤと対向するように配置しているため、衝突防止部材１１２と光ディスクＤとの接触面積を比較的小さなものとできる。このため、衝突防止部材１１２と光ディスクＤとの接触時の摩擦力を小さくでき、光ディスクＤに損傷が発生する可能性を低く抑えられる。
【先行技術文献】
【特許文献】
【００１３】
【特許文献１】特開平５−１９７９８２号公報
【特許文献２】特開２００４−１３９６９４号公報
【特許文献３】特開２００８−２９３５５１号公報
【特許文献４】特開２０１０−９７６２６号公報
【発明の概要】
【発明が解決しようとする課題】
【００１４】
しかしながら、特許文献４に示される従来の光ピックアップにおいては、次のような問題点が存在する。近年の光ピックアップの小型化・薄型化の流れはＢＤ対応の光ピックアップにおいても例外ではなく、ＢＤ対応の光ピックアップにおいても小径の対物レンズを使用することが要求されることがある。ＢＤ対応の光ピックアップに小径の対物レンズ（大きな開口数（例えば０．８５）が要求される）を使用する場合、対物レンズの先端と光ディスクとの間隔であるワーキングディスタンスが非常に短くなる（例えば０．３ｍｍ程度）。
【００１５】
シート部材で構成される衝突防止部材１１２の加工による外形の寸法公差は例えば±０．０８ｍｍと大きい。また、レンズホルダ１０２における、レンズ載置面１０２ｃと衝突防止部材載置面１０２ｂと（いずれも図１１参照）の間の高さｌにも寸法公差（例えば±０．０３ｍｍ）が存在する。すなわち、ワーキングディスタンスについて非常に短い距離が想定されているにもかかわらず、衝突防止部材１１２を取り付けるにあたって非常に大きな寸法公差が存在し、従来の構成では、衝突防止部材１１２を設けるにあたっての設計余裕が無い状態となっている。
【００１６】
以上の点に鑑みて、本発明の目的は、対物レンズと光記録媒体との衝突を防止する衝突防止部材を備え、小型化・薄型化に対応し易い光ピックアップを提供することである。
【課題を解決するための手段】
【００１７】
上記目的を達成するために本発明は、光源と、前記光源から出射される光を光記録媒体の情報記録面に集光する対物レンズと、前記対物レンズを保持するレンズホルダと、前記対物レンズに対して突出するように前記レンズホルダに固定配置されて、前記光記録媒体と前記対物レンズとの衝突を防止する衝突防止部材と、を備える光ピックアップにおいて、前記レンズホルダには、前記衝突防止部材の前記対物レンズに対する突出方向と略平行な方向に延びて前記衝突防止部材が挿入保持される貫通孔が設けられ、且つ、前記衝突防止部材の前記突出方向の位置決めを行う当て面が設けられていないことを特徴としている。
【００１８】
本構成によれば、衝突防止部材をレンズホルダに取り付ける際の寸法公差（衝突防止部材の突出方向、換言すると高さ方向の寸法公差）は、衝突防止部材の外形寸法公差に影響されず、衝突防止部材をレンズホルダに取り付ける際に用いる治具の寸法公差（治具精度）のみによって決まるようにできる。治具の寸法公差は比較的小さなものとできるために、本構成は小型化・薄型化に対応した光ピックアップに対して好適である。
【００１９】
上記構成の光ピックアップにおいて、前記衝突防止部材は、前記突出方向の両端部のうち、前記光記録媒体と対向しない側の端部側が前記レンズホルダに接着固定されていることとしてもよい。本構成によれば、治具で位置調整した衝突防止部材の固定を、例えば紫外線硬化型の接着剤（ＵＶ接着剤）等を用いて容易に固定できる。
【００２０】
上記構成の光ピックアップにおいて、前記衝突防止部材はシート部材であるのが好ましい。衝突防止部材をシート部材とすることにより、衝突防止部材を構成する材料として耐摩耗性の材料を選択し易く、衝突防止部材が光記録媒体に接触した場合に、光記録媒体が汚れる可能性を低減できる。
【００２１】
上記構成の光ピックアップにおいて、前記衝突防止部材は、前記シート部材の厚み方向に平行な側面の１つが前記光記録媒体と対向するように配置されているのが好ましい。本構成によれば、例えば、同じシート部材を用いて厚み方向に垂直な面が光記録媒体に対向する構成を採用する場合に比べて、光記録媒体との接触面積を小さなものとできる。このために、衝突防止部材が光記録媒体に衝突した場合における、光記録媒体の損傷を低減できる。
【００２２】
上記構成の光ピックアップにおいて、前記衝突防止部材は、前記衝突防止部材が配置される位置を基準として、前記厚み方向が前記光記録媒体の回転方向と略平行となるように前記レンズホルダに配置されているのが好ましい。本構成によれば、衝突防止部材と光記録媒体とが衝突したとしても、両者の接触時間を比較的短時間とでき、光記録媒体に損傷が発生する可能性を低減できる。
【発明の効果】
【００２３】
本発明によれば、対物レンズと光記録媒体との衝突を防止する衝突防止部材を備え、小型化・薄型化に対応し易い光ピックアップを提供できる。本発明は、例えば、小径の対物レンズを備える、ＢＤ対応の光ピックアップのように、ワーキングディスタンスが狭い光ピックアップに好適である。
【図面の簡単な説明】
【００２４】
【図１】本実施形態の光ピックアップの構成を示す概略平面図
【図２】本実施形態の光ピックアップの光学構成を示す概略平面図
【図３】本実施形態の光ピックアップが備えるレンズホルダの構成を示す概略斜視図
【図４】本実施形態の光ピックアップが備えるレンズホルダに衝突防止部材が取り付けられる前の状態を示す概略斜視図
【図５】本実施形態の光ピックアップが備えるレンズホルダに、衝突防止部材を取り付ける際に使用される治具の構成を示す概略斜視図
【図６】本実施形態の光ピックアップが備えるレンズホルダに、治具を用いて衝突防止部材を取り付ける手順を説明するための図
【図７】本実施形態の光ピックアップが備えるレンズホルダに衝突防止部材が接着固定された状態を示す概略斜視図
【図８】本実施形態の光ピックアップが備えるレンズホルダに取り付けられた衝突防止部材と、対物レンズ及び光ディスクとの関係を示す模式図
【図９】本実施形態の光ピックアップの変形例を示す図
【図１０】従来の光ピックアップが備える対物レンズアクチュエータの構成を示す概略斜視図
【図１１】図１０のＸ−Ｘ位置における断面の一部を示す図
【発明を実施するための形態】
【００２５】
以下、本発明が適用された光ピックアップの実施形態について、図面を参照しながら説明する。
【００２６】
図１は、本実施形態の光ピックアップの構成を示す概略平面図で、図１（ａ）は光ピックアップの上面図、図１（ｂ）は光ピックアップの側面図である。なお、図１（ｂ）は、図１（ａ）に示す矢印Ａに沿って見た図である。また、図１（ｂ）には、理解を容易とするために、光ディスクＤも併せて示している。
【００２７】
図１に示すように、本実施形態の光ピックアップ１は、ピックアップベース１０と、ピックアップベース１０上に固定配置される対物レンズアクチュエータ３０と、を備えた構成となっている。なお、本実施形態の光ピックアップは、ＢＤ、ＤＶＤ、ＣＤといった３種類の規格の光ディスクＤに対して情報の読み取りや書き込みを行うことが可能となっており、ＢＤ対応の第１の対物レンズ１７とＤＶＤ及びＣＤ対応の第２の対物レンズ２３とを備える構成となっている。
【００２８】
ピックアップベース１０の左右の端部には軸受け部１０ａ、１０ｂが設けられている。ピックアップベース１０は、この軸受け部１０ａ、１０ｂによって、光ディスクＤの再生や記録を行う装置である光ディスク装置に設けられるガイドシャフトＧＳ（図１（ａ）に破線で示す）に摺動可能に支持されることになる。光ディスク装置に設けられるガイドシャフトＧＳは光ディスクＤの半径方向（ラジアル方向）に延びるように配置される。このため、ガイドシャフトＧＳに対して摺動可能とされる光ピックアップ１は、回転する光ディスクＤの所望のアドレスにアクセスして、情報の読み取りや書き込みを行うことができる。
【００２９】
図２は、本実施形態の光ピックアップの光学構成を示す概略平面図である。第１のレーザダイオード（ＬＤ）１１から出射された第１の波長のレーザ光は、回折素子１２によって主光と２つの副光とに分けられる。回折素子１２を出射したレーザ光は偏光ビームスプリッタ１３によって反射され、１／４波長板１４及びコリメートレンズ１５を通過する。その後、第１の立ち上げミラー１６によって反射されて、第１の立ち上げミラー１６の上方にある第１の対物レンズ１７へと至る。第１の立ち上げミラー１６はダイクロイックミラーであり、第１のＬＤ１１から出射される第１の波長のレーザ光を反射するようになっている。
【００３０】
第１の対物レンズ１７は、入射したレーザ光を光ディスクＤの情報記録面ＲＳ（図１（ｂ）参照）に集光する機能を有する。第１の対物レンズ１７によって情報記録面ＲＳに集光されたレーザ光は情報記録面ＲＳで反射される。この反射光（戻り光）は、第１の対物レンズ１７を通過後、第１の立ち上げミラー１６で反射され、コリメートレンズ１５、１／４波長板１４、偏光ビームスプリッタ１３、ビームスプリッタ１８を順に透過し、センサーレンズ１９によって非点収差を与えられてフォトディテクタ（受光素子）２０に集光する。フォトディテクタ２０は受光した光信号を電気信号に変換する光電変換手段として機能する。
【００３１】
なお、第１のＬＤ１１は、本実施形態ではＢＤ対応のレーザ光源であり、波長４０５ｎｍ帯のレーザ光を出射する。また、コリメートレンズ１５は、球面収差を補正できるようにする等の目的で、公知のレンズ駆動装置によって光軸方向（図２の矢印Ｍ方向）に移動できるようになっている。
【００３２】
第２のレーザダイオード（ＬＤ）２１は、第２の波長のレーザ光と第３の波長のレーザ光とを切り換えて出射できるようになっている。第２のＬＤ２１から出射されたレーザ光は、ビームスプリッタ１８によって反射され、偏光ビームスプリッタ１３を透過後、１／４波長板１４及びコリメートレンズ１５を通過する。また、ダイクロイックミラーとして構成される第１の立ち上げミラー１６も透過する。そして、第２の立ち上げミラー２２によって反射されて、第２の立ち上げミラー２２の上方にある第２の対物レンズ２３へと至る。
【００３３】
第２の対物レンズ２３は、入射したレーザ光を光ディスクＤの情報記録面ＲＳ（図１（ｂ）参照）に集光する機能を有する。第２の対物レンズ２３で情報記録面ＲＳに集光された後に反射された反射光（戻り光）は、第２の対物レンズ２３を通過後、第２の立ち上げミラー２２で反射され、第１の立ち上げミラー１６、コリメートレンズ１５、１／４波長板１４、偏光ビームスプリッタ１３、ビームスプリッタ１８、センサーレンズ１９を順に透過してフォトディテクタ２０に集光する。
【００３４】
なお、第２のＬＤ２１は、本実施形態ではＤＶＤ及びＣＤ対応のレーザ光源であり、波長６５０ｎｍ帯のレーザ光（ＤＶＤ用；第２の波長のレーザ光）と波長７８０ｎｍ帯のレーザ光（ＣＤ用；第３の波長のレーザ光）とを切り換えて出射可能となっている。すなわち、第２のＬＤ２１は２種類の光源を含む構成となっている。このようなレーザ光源は、例えばモノリシックタイプ或いはハイブリッドタイプの２波長レーザであってよい。
【００３５】
以上で説明した光学部品１１〜２３は、いずれもピックアップベース１０上に搭載されるが、第１の対物レンズ１７及び第２の対物レンズ２３は、ピックアップベース１０上に配置される対物レンズアクチュエータ３０に搭載された状態で、ピックアップベース１０に搭載されることになる。
【００３６】
対物レンズアクチュエータ３０は、図１０で示した対物レンズアクチュエータ１００と同様に、対物レンズ１７、２３を保持するレンズホルダを備え、このレンズホルダはワイヤによって片持ち支持される。そして、図１０で示した対物レンズアクチュエータ１００と同様に、磁石が作る磁界と、コイルを流れる電流との電磁気的な作用を利用して、レンズホルダとともに対物レンズ１７、２３をフォーカス方向とトラック方向とに移動できる構成となっている。
【００３７】
図３は、本実施形態の光ピックアップが備えるレンズホルダの構成を示す概略斜視図であり、図３（ａ）は対物レンズが搭載された状態を斜め上から見た図、図３（ｂ）は対物レンズが搭載されていない状態を斜め下から見た図である。光ピックアップ１（対物レンズアクチュエータ３０）のレンズホルダ３１には、２つの対物レンズ１７、２３を横並び（本実施形態ではタンジェンシャル方向に横並びとなっている（図１参照））で保持できるように、２つのレンズ保持部３１ａ、３１ｂが設けられている。
【００３８】
第１の対物レンズ１７は第１のレンズ保持部３１ａに、第２の対物レンズ２３は第２のレンズ保持部３１ｂに、上側からレンズ保持部３１ａ、３１ｂ内に設けられるレンズ載置面（図１１に示すレンズ載置面１０２ｃと同様の構成である）に載置される。レンズ載置面に載置された対物レンズ１７、２３は接着剤等で固定される。
【００３９】
レンズホルダ３１には、第１のレンズ保持部３１ａと第２のレンズ保持部３１ｂとの間に、レンズホルダ３１を上下方向に貫通する、平面視略矩形状の２つの貫通孔３４ａ、３４ｂが設けられている。２つの貫通孔３４ａ、３４ｂの並び方向は、２つの対物レンズ１７、２３の並び方向と略直交する方向である。これら２つの貫通孔３４ａ、３４ｂには、対物レンズ１７、２３と光ディスクＤとの衝突を防止する後述の衝突防止部材が挿入される。各貫通孔３４ａ、３４ｂのサイズは、後述するように衝突防止部材を挿入した場合に、その内面に衝突防止部材が引っ掛かって挿入し難いということがないように、衝突防止部材の外形よりも、やや大き目とされている。
【００４０】
なお、レンズホルダ３１には、その他、上述の電磁力作用を得るために使用されるフォーカスコイル３２やトラックコイル３３等が取り付けられる。
【００４１】
図４は、本実施形態の光ピックアップが備えるレンズホルダに衝突防止部材が取り付けられる前の状態を示す概略斜視図である。図４に示すように、対物レンズ１７、２３と光ディスクＤとの衝突を防止する衝突防止部材４０（２つある）は、平面形状略矩形のシート部材である。衝突防止部材４０は、光ディスクＤとの衝突時に傷及び汚れをなるべく発生しない材質とするのが好ましい。
【００４２】
具体的には、例えばポリカーボネート等で形成される光ディスクＤの表面層（情報記録面ＲＳを保護する層）よりも柔らかい材質であることが好ましい。また、光ディスクＤとの衝突時に削れないような耐磨耗性を有する材質が好ましい。これらの条件を満たす材質の一例として、超高分子量ポリエチレン（ＵＨＭＷ−ＰＥ）が挙げられ、本実施形態のシート状の衝突防止部材４０は超高分子量ポリエチレンで形成されている。
【００４３】
図４において、レンズホルダ３１は斜め下から見た場合を想定（図３（ｂ）に同じ）した図である。すなわち、本実施形態においては、衝突防止部材４０はレンズホルダ３１の裏（下）側から貫通孔３４ａ、３４ｂに挿入して取り付ける構成となっている。２つの衝突防止部材４０の各々は、その厚み方向に平行な側面の１つが光ディスクＤと対向するようにその姿勢（図４の姿勢）を決められ、貫通孔３４ａ、３４ｂに挿入される（図４の破線矢印方向に挿入）。
【００４４】
衝突防止部材４０をレンズホルダ３１に取り付けるに際しては、図５に示すような治具が使用される。なお、図５は、本実施形態の光ピックアップが備えるレンズホルダに、衝突防止部材を取り付ける際に使用される治具の構成を示す概略斜視図である。
【００４５】
図５に示すように、治具５０の台座５１には、レンズホルダ３１を支持する支持台５２が固定状態で載置されている。支持台５２の上面５２ａには、略円柱形状の第１の凸部５３と、第１の凸部５３を挟むように対称位置に配置される略四角柱状の一対の第２の凸部５４ａ、５４ｂとが設けられている。なお、正確には第１の凸部５３と一対の第２の凸部５４ａ、５４ｂとは一直線上に並んでおらず、図５において、第１の凸部５３は一対の第２の凸部５４ａ、５４ｂよりも手前側にある。また、第１の凸部５３と一対の第２の凸部５４ａ、５４ｂの支持台５２の上面５２ａからの突出量は同一となっている。
【００４６】
支持台５２の上方には、レンズホルダ３１の端部側を押さえつけるために使用される一対のホルダ押さえ部５５ａ、５５ｂと、レンズホルダ３１の貫通部３４ａ、３４ｂに挿入されたシート状の衝突防止部材４０を押さえつけるために使用される一対の衝突防止部材押さえ部５６ａ、５６ｂと、が設けられている。一対のホルダ押さえ部５５ａ、５５ｂと、一対の衝突防止部材押さえ部５６ａ、５６ｂとは、支持台５２に対して上下方向に移動可能に設けられている。
【００４７】
図６は、本実施形態の光ピックアップが備えるレンズホルダに、治具を用いて衝突防止部材を取り付ける手順を説明するための図で、図６（ａ）は取り付け途中における、治具、レンズホルダ、及び衝突防止部材の関係を示す概略斜視図、図６（ｂ）は図６（ａ）の状態の側面図である。なお、ここで説明する手順は一例であり、その手順は本発明の目的を逸脱しない範囲で適宜変更して構わない。
【００４８】
図６に示すように、レンズホルダ３１に衝突防止部材４０を取り付けるに際しては、レンズホルダ３１を裏向けて支持台５２上に載せる。この際、２つの衝突防止部材４０の各々を、レンズホルダ３１の裏側から貫通孔４１ａ、４１ｂに挿入しておく。そして、第２のレンズ保持部３１ｂのレンズ載置面ＬＳ（図６（ｂ）に一点鎖線で示す）が支持台５２の第１の凸部５３の上面と当接するように載置する。
【００４９】
本実施形態では、レンズホルダ３１の端部側（図６（ｂ）の左右方向の端部側）がレンズ載置面ＬＳと同一面となる構成であるために、この同一面についても一対の第２の凸部５４ａ、５４ｂで支持するように構成している。すなわち、本実施形態では、レンズホルダ３１は第１の凸部５３と一対の第２の凸部５４ａ、５４ｂとによって３点支持された状態となる。なお、第２の凸部５４ａ、５４ｂは、場合によっては設けない構成としてもよい。また、前述の３点支持された状態で、レンズホルダ３１が動かないようにホルダ押さえ部５５ａ、５５ｂでレンズホルダ３１を上から押さえつけて固定する。
【００５０】
次に、シート状の衝突防止部材４０を、その厚み方向に平行な側面４０ａの一つが支持台５２の上面５２ａに当接するように、衝突防止部材押さえ部５６ａ、５６ｂで上（支持台上面５２ａに当接する側面に対向する側面４０ｂ（図４参照））側から押さえつける。図６は、この段階の状態を示している。
【００５１】
衝突防止部材４０を衝突防止部材押さえ部５６ａ、５６ｂで押さえつけることにより、衝突防止部材４０の厚み方向に平行な側面４０ａが、第１の凸部５３（第２の凸部５４ａ、５４ｂ）の支持台上面５２ａからの突出量に応じて決まる量だけ、レンズホルダ３１に対して突出（図６では下方に突出）することになる。
【００５２】
第１の凸部５３の支持台上面５２ａからの突出量は、衝突防止部材４０が所望の衝突防止機能を発揮する（後にレンズホルダ３１に取り付けられる対物レンズ１７、２３に対して所定量突出する）ように予め決められている。本実施形態では、前記所望の衝突防止機能を得られる位置に衝突防止部材４０が配置された場合における、レンズ載置面ＬＳから、衝突防止部材４０の光ディスクＤに対向する側面４０ａまでの高さが、第１の凸部５３の支持台上面５２ａからの突出量ｈ（図６（ｂ）参照）となっている。
【００５３】
衝突防止部材４０を衝突防止部材押さえ部５６ａ、５６ｂで押さえつけると、図７に示すように、レンズホルダ３１の裏面側から、紫外線硬化型の接着剤（ＵＶ接着剤）５７を衝突防止部材４０がレンズホルダ３１に着固定されるように適当な位置に注入する。そして、紫外線を照射してＵＶ接着剤を硬化させた後に治具による押さえを解除する。これにより、衝突防止部材４０のレンズホルダ３１への取り付けが完了する。なお、図７は、本実施形態の光ピックアップが備えるレンズホルダに衝突防止部材が接着固定された状態を示す概略斜視図である。
【００５４】
図８は、本実施形態の光ピックアップが備えるレンズホルダに取り付けられた衝突防止部材と、対物レンズ及び光ディスクとの関係を示す模式図である。図８に示すように、レンズホルダ３１に配置される衝突防止部材４０は、対物レンズ１７、２３の先端部より所定の高さｔだけ高くなっている（突出している）。このために、衝突防止部材４０の存在により対物レンズ１７、２３と光ディスクＤとの衝突を防止できる。
【００５５】
一方、衝突防止部材４０は光ディスクＤと衝突することがある。しかし、衝突防止部材４０はシート部材としているために、耐摩耗性の材料を選択し易く、接触により光ディスクＤの汚れを防止できる。また、シート状の衝突防止部材４０の厚み方向ｄに平行な側面４０ａが光ディスクＤと対向する構成となっているために、例えば、同じシート部材を用いて厚み方向に垂直な面が光ディスクＤに対向する構成とする場合に比べて、光ディスクＤとの接触面積を小さなものとできる。このために、光ディスクＤの損傷を低減できる。
【００５６】
更に、衝突防止部材４０が配置される位置を基準とした場合に、衝突防止部材４０の厚み方向ｄと光ディスクＤの回転方向とがほぼ平行な関係となっている。このために、衝突防止部材４０と光ディスクＤとが衝突したとしても、両者の接触時間を比較的短時間とできる。この点からも、衝突防止部材４０と光ディスクＤとが接触しても光ディスクＤに損傷が発生する可能性が低減されている。
【００５７】
ところで、以上の説明からわかるように、本実施形態の光ピックアップ１におけるレンズホルダ３１には、衝突防止部材４０の突出方向（例えば図８における上下方向）の位置決めを行う当て面が設けられない構成となっている。すなわち、衝突防止部材４０の突出方向（上下方向、高さ方向）の位置決めは、治具５０で行うのみの構成となっている。
【００５８】
本実施形態の構成の場合、衝突防止部材４０をレンズホルダ３１に取り付ける際の寸法公差（上下方向、高さ方向の寸法公差）は、治具精度のみよって決まることになり、非常に小さいもの（例えば±０．０３ｍｍ）とできる。すなわち、従来の構成の場合に問題となった、シート状の衝突防止部材４０の外形寸法公差（例えば±０．０８ｍｍ）は、衝突防止部材４０をレンズホルダ３１に取り付ける際の寸法公差として考慮する必要がない。このために、ワーキングディスタンスが非常に小さい光ピックアップであっても、シート状の衝突防止部材４０を厚み方向ｄに平行な側面が光ディスクＤと対向するように配置した構成を実現することが可能である。
【００５９】
以上に示した実施形態は本発明の一例であり、本発明の光ピックアップは以上に示した構成に限定されるものではない。
【００６０】
例えば、以上に示した実施形態では、衝突防止部材４０を２つ備える構成としたがこの構成に限られる趣旨ではない。衝突防止部材４０の数は適宜変更可能であり、１つ、或いは３つ以上であっても構わない。また、衝突防止部材４０をレンズホルダ３１に配置する場合の位置についても、適宜変更して構わない。要は、衝突防止部材４０は、光ディスクＤと対物レンズ１７、２３とが衝突する可能性が低くなるように配置されればよく、以上に示した実施形態の構成に限定されない。レンズホルダ３１の形状についても、本実施形態の構成に限定されるものではない。
【００６１】
また、以上に示した実施形態では、シート状の衝突防止部材４０の形状を平面形状略矩形としたが、この形状に限定されず、例えば、平面形状略台形等、その他の形状に適宜変更して構わない。また、衝突防止部材はシート部材でなく、場合によっては成形品（例えば円柱形状等）であっても構わない。この場合でも、レンズホルダと衝突防止部材とのいずれにも、衝突防止部材の突出方向（上下方向）の位置決めを行う当て面が設けられない構成を採用し、小型化・薄型化に対応した光ピックアップの提供が可能となる。
【００６２】
また、以上に示した実施形態では、衝突防止部材４０の厚み方向ｄと光ディスクＤの回転方向とが略平行となる構成とした。この構成が好ましいが、必ずしも両者が略平行の関係になくても構わない。
【００６３】
また、以上に示した実施形態では、光ピックアップ１が２つの対物レンズ１７、２３を備える構成とした。しかし、本発明はこれに限らず、光ピックアップが備える対物レンズが１つ、或いは、３つ以上であっても適用可能である。
【００６４】
また、以上に示した実施形態においては、対物レンズアクチュエータ３０の構成として、レンズホルダ３１がワイヤに片持ち支持される構成（ワイヤ支持方式の対物レンズアクチュエータ）とした。しかし、対物レンズアクチュエータの構成は、この構成に限定されない。例えば、図９（断面図）に示すような、いわゆる軸摺動型の対物レンズアクチュエータ６０等としてもよい。この場合にも、本実施形態と同様の構成で衝突防止部材を設けることによって、同様の効果が得られる。
【００６５】
なお、図９に示す対物レンズアクチュエータ６０は、ベース６１と、摺動軸６２と、衝突防止部材６６を有するとともに対物レンズ６５を保持するレンズホルダ６３と、フォーカスコイル６４と、図示しないトラックコイル（レンズホルダ６３の側面に取り付けられる）と、を備える。そして、この対物レンズアクチュエータ６０では、図示しない永久磁石の磁界と、コイル（フォーカスコイル及びトラックコイル）を流れる電流と、の間における電磁力作用によって、レンズホルダ６３が摺動軸６２に対して上下方向或いは回転方向に摺動する。
【００６６】
その他、以上に示した実施形態では、光ピックアップは、ＢＤ、ＤＶＤ及びＣＤに対応するものとしたが、当然、これ以外の光ディスク（１種類の場合も複数種類の場合も含む）に対応する光ピックアップでも、本発明は適用できる。光ピックアップが対応する光ディスクの種類が１つである場合には、光源や対物レンズの数は１つでよい。
【産業上の利用可能性】
【００６７】
本発明は、小型化・薄型化に対応する光ピックアップに好適である。
【符号の説明】
【００６８】
１  光ピックアップ
１１  第１の光源
１７  第１の対物レンズ
１８  第２の光源
１９  第２の対物レンズ
３１  レンズホルダ
３４ａ、３４ｂ  貫通孔
４０  衝突防止部材
Ｄ    光ディスク（光記録媒体）
ＲＳ  情報記録面
【図１】
2012064278.tif 000003
【図２】
2012064278.tif 000004
【図３】
2012064278.tif 000005
【図４】
2012064278.tif 000006
【図５】
2012064278.tif 000007
【図６】
2012064278.tif 000008
【図７】
2012064278.tif 000009
【図８】
2012064278.tif 000010
【図９】
2012064278.tif 000011
【図１０】
2012064278.tif 000012
【図１１】
2012064278.tif 000013